(57)【要約】【課題】内反捻挫を効果的に予防することができるサポーターを提供する。【解決手段】装着者の足の動きに追随可能に配置されるベース体２と、ベース体２に接続されているサポートベルト３とを備え、サポートベルト３は、装着者の足の下にベース体２が配置された状態で、ベース体２から装着者の足の外側に向かって装着者の下脚の延びる方向に対して交差する方向に延びるとともに、サポートベルト３の端部が装着者の足首に固定可能に設けられている。【選択図】図２
2015171422.tif 000002
【特許請求の範囲】
【請求項１】
装着者の足の下において、前記装着者の足の動きに追随可能に配置されるベース体と、
前記ベース体に接続されているサポートベルトとを備え、
前記サポートベルトは、前記装着者の足の下に前記ベース体が配置された状態で、前記ベース体から前記装着者の足の外側に向かって前記装着者の下脚の延びる方向に対して交差する方向に延びるとともに、
前記サポートベルトの端部が前記装着者の足首に固定可能に設けられている、サポーター。
【請求項２】
前記装着者の足の下に前記ベース体が配置された状態で、前記サポートベルトは、前記装着者の第５中足骨の踵側端部よりも爪先側の位置で前記ベース体と接続されている、請求項１に記載のサポーター。
【請求項３】
前記ベース体は、前記装着者の履物のインソールの下に配置される、請求項１または請求項２に記載のサポーター。
【請求項４】
前記ベース体は、前記装着者の履物のインソールと一体として設けられている、請求項１または請求項２に記載のサポーター。
【請求項５】
前記サポートベルトは、前記サポーターを前記装着者が装着したときに、前記サポートベルトが延びる方向に垂直な方向における端部が前記装着者の踝の中央部を通るように設けられている、請求項１〜請求項４のいずれか１項に記載のサポーター。
【請求項６】
前記装着者の足に装着可能な補助サポーターをさらに備え、
前記サポートベルトと前記補助サポーターとは固定可能に設けられている、請求項１〜請求項５のいずれか１項に記載のサポーター。
【請求項７】
前記サポートベルトと前記補助サポーターとは、面ファスナーにより固定される、請求項６に記載のサポーター。
【請求項８】
前記サポーターを前記装着者が装着したときに、前記ベース体は前記装着者の足の土踏まずに対し爪先側に位置する部分の下に配置されるように設けられており、
前記補助サポーターは、前記装着者の足の足首を覆う位置に装着可能に設けられている、請求項６または請求項７に記載のサポーター。
【発明の詳細な説明】
【技術分野】
【０００１】
本発明は、サポーターに関し、特に足関節用のサポーターに関する。
【背景技術】
【０００２】
足首には体重による負荷に加えて足関節の運動に伴う負荷が加えられる。これにより、足首は捻挫を起こしやすい。特に、バレーボールやバスケットボール、サッカーなどのスポーツを行う際には、体の中心側に向かう関節動作（内転動作）によって足関節に対し体の外側に位置する靭帯が伸びて損傷する内反捻挫が起こりやすい。
【０００３】
特開２００１−２３８９９２号公報には、内反捻挫を防止するサポーターとして、伸縮性のない下端に第１面ファスナーを備え、上端にファスナー係合部を備え、足裏を通り足の甲に向けて巻回されるベルト部材と、伸縮性を有する材質で構成され、おもて面がファスナー係合面とされ、うら面が装着時に足首付近に面当接する当接部材と、この当接部材に取り付けられた第２面ファスナーからなる足首の内反捻挫防止具が開示されている。当接部材は、足の甲側に巻かれ第１面ファスナーと係合する第１当接部と、内くるぶしの上部に向け巻回される第２当接部と、足首の裏側を通り内くるぶしの上部に向け巻き回される第３当接部を有し、ベルト部材と第１当接部とが足を巻回して締め付けることが記載されている。
【先行技術文献】
【特許文献】
【０００４】
【特許文献１】特開２００１−２３８９９２号公報
【発明の概要】
【発明が解決しようとする課題】
【０００５】
しかしながら、従来の内反捻挫防止具は内転動作の中心となる足首に近い部分と足首とをベルト部材と当接部とで締め付けるため、従来内反捻挫防止具では内反捻挫を防止する効果が十分得られない場合があった。また、従来の内反捻挫防止具を用いて内反捻挫を効果的に予防するためには当該締め付けをする力を強くして内転動作を制限する必要があるが、これにより装着者は内転動作以外の足関節の動作についても内反捻挫防止具の影響を受ける。
【０００６】
本発明は上記のような課題を解決するためになされたものである。本発明の主たる目的は、内反捻挫を効果的に予防することができるサポーターを提供することにある。
【課題を解決するための手段】
【０００７】
本発明に係るサポーターは、装着者の足の下において装着者の足の動きに追随可能に配置されるベース体と、ベース体に接続されているサポートベルトとを備え、サポートベルトは、装着者の足の下にベース体が配置された状態で、ベース体から装着者の足の外側に向かって装着者の下脚の延びる方向に対して交差する方向に延びるとともに、サポートベルトの端部が装着者の足首に固定可能に設けられている。
【発明の効果】
【０００８】
本発明によれば、内反捻挫を効果的に予防することができるサポーターを提供することができる。
【図面の簡単な説明】
【０００９】
【図１】実施の形態１に係るサポーターを説明するための上面図である。
【図２】実施の形態１に係るサポーターを装着したときの側面図である。
【図３】装着者の足の骨を説明するための上面図である。
【図４】装着者の足の靭帯を説明するための図である。
【図５】実施の形態２に係るサポーターの補助サポーターを説明するための図である。
【図６】実施の形態２に係るサポーターを装着したときの側面図である。
【図７】実施の形態１に係るサポーターの変形例を説明するための上面図である。
【発明を実施するための形態】
【００１０】
以下、図面に基づいて本発明の実施の形態を説明する。なお、以下の図面において同一または相当する部分には同一の参照番号を付し、その説明は繰返さない。
【００１１】
（実施の形態１）
はじめに、図１〜図４を参照して、実施の形態１に係るサポーター１について説明する。実施の形態１に係るサポーター１は、装着者の足を緊締可能なサポーターであって、装着者の足の下に配置されるベース体２と、ベース体２に接続されているサポートベルト３とを備える。
【００１２】
ベース体２は、装着者の足の下に配置されるが、たとえば装着者の履物の内部において履物の内部に配置されるインソール１０の下に配置される。ベース体２の外形は履物の内部形状に沿うように設けられている。ベース体２を構成する材料は、例えば、エチレン・酢酸ビニル共重合体（ＥＶＡスポンジ）および発泡ラバー、ポリウレタン（ＰＵ）、ポリエチレン（ＰＥ）とすることができる。なお、インソール１０は従来の任意のインソールとすることができる。ベース体２の寸法は、装着者の足のサイズに応じて選択される。たとえば、ベース体２は、ある範囲の足長に対応可能なように製造されて、これを装着者が自身の足長に合わせて裁断して使用することができるように設けられている。
【００１３】
ベース体２は、サポーター１が装着者に装着されたときに、少なくとも装着者の足の土踏まずに対して爪先側に位置し、足裏とインソール１０を介して間接的に接触可能に設けられている。ベース体２は、たとえば装着者の第５中足骨の下に設けられている。ここで、第５中足骨は、足の最も外側に位置する中足骨である。
【００１４】
サポートベルト３は、一方端部がベース体２と任意の方法で接続固定されている。サポートベルト３は、ベース体２およびサポートベルト３を展開した状態で上面から見たときに、たとえばベース体２の外側（装着者の足の下にベース体２が配置された状態において装着者の足の第５趾側）から線状に（たとえば直線状に）延びるように形成されている。サポートベルト３の当該延在方向Ｂは、装着者の足の下にベース体２が配置された状態における装着者の足長方向Ａに対して所定の角度を有するように交差している。
【００１５】
言い換えると、サポートベルト３は、装着者の足の下にベース体２が配置された状態で、ベース体２から装着者の足の外側に向かって装着者の下脚の延びる方向Ｃに対して交差する方向に延びるとともに、サポートベルト３の端部が装着者の足首に固定可能に設けられている。好ましくは、サポートベルト３は、サポーター１を装着者が装着したときに、第５中足骨の踵側の端部よりも爪先側に位置する部分においてベース体２と接続されており、短腓骨筋腱に沿って装着者の足の周囲を巻き回すことができるように設けられている。
【００１６】
サポートベルト３の延在方向Ｂにおいて、ベース体２の外部に延びている領域の長さは、たとえば１５０ｍｍ以上８００ｍｍ以下である。サポートベルト３の長さは、装着者の足の下にベース体２が配置された状態で、少なくともベース体２との接続部から装着者の足の足首にまで達して足首近傍とサポートベルト３とを固定可能とする長さである。サポートベルト３の延在方向Ｂに対して垂直な方向における幅は、たとえば５ｍｍ以上７０ｍｍ以下である。
【００１７】
サポートベルト３は伸縮性が低く、ＪＩＳ  Ｌ  １０９６  ６．１４．１．Ａ法（定速伸張法）を用いて測定したサポートベルト３の伸縮率が０％以上３０％以下であるのが好ましい。当該サポートベルト３の伸張率は、サポートベルト３の試験片サイズを５０ｍｍ×３００ｍｍ、引張り速度を２００ｍｍ／ｍｉｎとしてサポートベルト３を伸張させ、初期荷重印加時のサポートベルト３の長さをＬ０、初期荷重の１．８倍の荷重を加えたときの当該長さをＬ１として（Ｌ１−Ｌ０）／Ｌ０×１００との式から算出したものとする。  
【００１８】
サポートベルト３を構成する材料は、上記伸張率を実現することができる限りにおいて、任意の材料とすることができるが、たとえばポリエステル、ナイロン、ポリプロピレン、ゴム、ウレタン、シリコーンからなる群から選択される少なくとも１つである。
【００１９】
サポートベルト３は、好ましくは装着者の足首を周回可能に設けられている。サポートベルト３において少なくとも互いに重なり合う領域には、たとえば面ファスナー５が設けられている。面ファスナー５の一方の固定具は、たとえばサポートベルト３においてベース体２と接続されていない一方の端部に設けられており、他方の固定具はサポートベルト３の表面に設けられている。これにより、サポートベルト３同士を面ファスナー５により固定することができる。これにより、サポートベルト３は、着用者の短腓骨筋腱に沿うように巻き回されることができると同時に、装着者の足首に固定されることができる。
【００２０】
また、面ファスナー５は、たとえば装着の足の外側において第５中足骨近傍および踝近傍にそれぞれ設けられていてもよい。第５中足骨近傍および踝近傍にそれぞれ設けられている面ファスナー５は、たとえば装着者が履いている靴下や他のサポート部材などにこれと対応する面ファスナーを設けておくことでこれらの対応する面ファスナーが互いに固定される。この結果、サポートベルト３をより確実に装着者の足に固定することができる。
【００２１】
次に、図１〜図４を参照して、サポーター１の作用効果について説明する。サポーター１は、装着者の足の下において装着者の足の動きに追随可能に配置されるベース体２と、ベース体２に接続されているサポートベルト３とを備え、サポートベルト３は、装着者の足の下にベース体２が配置された状態で、ベース体２から装着者の足の外側に向かって装着者の下脚の延びる方向Ｃに対して交差する方向に延びるとともに、サポートベルト３の端部が装着者の足首に固定可能に設けられている。
【００２２】
このようにすれば、装着者の足が内転動作（足の爪先を足首に対して体の内側に向ける関節動作）する際には、当該足の動きに追随してベース体２も装着者の体の内側に向けて移動する。このとき、その一方の端部が装着者の足首に固定されているサポートベルト３は、装着者の足の外側を通って他方の端部がベース体２と接続されているため、上記内転動作によってサポートベルト３の両端部間には張力が生じる。つまり、サポートベルト３は、装着者の足の内転動作時において張力を発生させることにより当該内転動作を抑制することができる。この結果、実施の形態１に係るサポーター１を装着することにより、装着者は内転動作に起因した内反捻挫を効果的に予防することができる。
【００２３】
また、装着者の足の他の動作（たとえば爪先を上下させる動作や外転動作等）時においては、サポートベルト３にはこれらの動作を抑制するような大きな張力が生じない。そのため、サポーター１は、内転動作以外の他の足関節動作を妨げることなく、内反捻挫を効果的に予防することができる。
【００２４】
また、実施の形態１に係るサポーター１において、サポートベルト３は、装着者の足の下にベース体２が配置された状態で、装着者の第５中足骨の踵側端部よりも爪先側の位置でベース体２と接続されている。
【００２５】
このようにすれば、サポートベルト３は、その一方の端部が固定される装着者の足首から十分に離れた位置で、装着者の足の内転動作と追随可能に設けられているベース体２と他方の端部が接続されている。この結果、サポートベルト３の当該端部間の距離を十分に長くすることができ、装着者の足首を中心とした内転動作においてより小さな爪先の動きに対しても所定の張力を生じさせることができる。この結果、内反捻挫をより効果的に予防することができる。
【００２６】
また、サポートベルト３を、装着者の足の第５中足骨の踵側端部よりも爪先側の位置から装着者の踝の近傍を通って装着者の足首に固定可能に設けることにより、装着者の足の短腓骨筋腱に沿ってサポートベルト３を巻き回すことができる。図４を参照して、短腓骨筋腱は、下脚の外側から足関節外果（踝）後方を経由して第５中足骨に停止する筋であり、前距腓靭帯、後距腓靭帯、踝腓靭帯等とともに外側靭帯に含まれる。一般に内反捻挫ではこれら外側靭帯が過剰に伸張して損傷を受ける。このとき、サポートベルト３は、短腓骨筋腱に沿って巻き回されることにより、短腓骨筋腱をサポートすることができるため、特に短腓骨筋腱の過剰な伸張を防止することができ、内反捻挫を効果的に予防することができる。
【００２７】
実施の形態１に係るサポーター１において、ベース体２は装着者の履物のインソール１０の下に配置される。このようにしても、ベース体２は装着者の履物の内部においてインソール１０を介して装着者の体重が加えられるとともに履物内部形状により拘束を受けることにより、ベース体２は装着者の足関節の動作に追随可能に設けられている。これにより、上述のように、一方の端部がベース体２に接続固定されているとともに他方の端部が装着者の足首に固定されるサポートベルト３が足関節の内転動作時において当該端部間に所定の張力を生じさせることができる。その結果、サポーター１は、内反捻挫を効果的に予防することができる。
【００２８】
実施の形態１に係るサポーター１において、サポートベルト３は、サポーター１を装着者が装着したときに、サポートベルト３が延びる方向に対して垂直な方向における端部（上側端部）が装着者の足関節外果（踝）の中央部を通るように設けられているのが好ましい。
【００２９】
このようにすれば、サポートベルト３は、下脚の外側から足関節外果（踝）後方を経由して第５中足骨に至る短腓骨筋腱に沿って巻き回されることができる。その結果、短腓骨筋腱の過剰な伸張を防止することができるため、内反捻挫を効果的に防止することができる。
【００３０】
（実施の形態２）
次に、図５および図６を参照して、実施の形態２に係るサポーター１について説明する。実施の形態２に係るサポーター１は、基本的には実施の形態１に係るサポーター１と同様の構成を備えるが、補助サポーター４をさらに備える点で異なる。
【００３１】
サポートベルト３は、後述する補助サポーター４と固定可能に設けられており、たとえば面ファスナー５を構成する一方の固定具が設けられている。面ファスナー５は、たとえば装着者がサポーター１を装着したときにサポートベルト３において内側に位置する面上に複数設けられている。
【００３２】
補助サポーター４は、装着者の足首を覆う位置に装着可能に設けられている。好ましくは、補助サポーター４は、装着者の足首近傍において短腓骨筋腱が延在する位置を覆う位置に装着可能に設けられている。補助サポーター４は、装着者の足と直接接触してこれを覆うように、または靴下等を介して間接的に覆うように設けられている。
【００３３】
補助サポーター４において外側に向いている面（外周面６）は、たとえば面ファスナー５を構成する他方の固定具として設けられている。つまり、サポートベルト３の固定具と補助サポーター４の外周面６とは面ファスナー５として、補助サポーター４の外周面６上の任意の位置に接続固定されることができる。
【００３４】
補助サポーター４は、装着者が装着したときに装着者の足裏から足の甲まで足を囲うとともに足長方向Ａと沿うように設けられている軸方向を有する円筒状部分と、当該円筒状部分と連なるとともに装着者の足首を覆うとともに下脚の延びる方向Ｃに沿うように設けられている軸方向を有する円筒状部分とを有する。補助サポーター４は、装着者に装着されたときに装着者の踵が覆われないような開口部が設けられていてもよい。
【００３５】
補助サポーター４は、装着者の足首を覆うように設けられている円筒状部分において着脱可能に設けられている。たとえば、装着者の足に補助サポーター４が装着されているときに、装着者の足の内側に位置する補助サポーター布片と外側に位置する補助サポーター布片とは装着者の背面側において分離し、かつ上記内側に位置する補助サポーター布片は上記外側に位置する補助サポーター布片と重なるように設けられているとともに、上記内側に位置する補助サポーター布片には面ファスナー７を構成する一方の固定具が設けられている。これにより、補助サポーター４は、外周面６と当該固定具とで構成される面ファスナー７により着脱可能となるため、補助サポーター４を装着者の足に着脱可能とすることができる。
【００３６】
補助サポーター４の補助サポーター布片において面ファスナー７の近傍に位置する端部には、つまみ部８が設けられている。これにより、装着者はつまみ部８をつまんで面ファスナー７の着脱を行うことができる。また、つまみ部８が設けられている一方の補助サポーター布片と装着者の背側において重なり合う他方の補助サポーター布片の端部にも、つまみ部が設けられていてもよい。これにより、両つまみ部をつまんで補助サポーター４を広げ、円筒状部分に爪先を通すように装着することにより、補助サポーター４をより容易に装着することができる。
【００３７】
補助サポーター４を構成する材料は、装着者の足の関節運動を妨げない限りにおいて任意の材料とすることができるが、たとえばクロロプレンラバー、ウレタン等の伸縮性のある材料を採用してもよいし、トリコット生地、縦横に伸縮性がある２ウェイパイル等の編み方で伸縮性を持たせてもよい。補助サポーター４はサポートベルト３と比べて全体として伸縮性が高くすることが望ましい。
【００３８】
補助サポーター４は、装着者が装着して運動した際にも、装着者の足に対する位置ズレが抑制されているのが好ましい。そのため、補助サポーター４は、装着者の足のサイズ等に応じて選択され得る。
【００３９】
次に、実施の形態２に係るサポーター１の作用効果について説明する。実施の形態２に係るサポーター１は、実施の形態１に係るサポーター１と同様の効果を奏することができる。さらに、実施の形態２に係るサポーター１は、上記装着者の足に装着可能な補助サポーター４をさらに備え、サポートベルト３と補助サポーター４とは固定可能に設けられている。
【００４０】
従来の内反捻挫防止具は足に直接装着する必要があるため、その上から靴下や靴を履いて運動を行う際に装着者が違和感を覚える場合があった。これに対し、実施の形態２に係るサポーター１は、サポートベルト３を装着者の足に直接接触させることなく補助サポーター４上に巻き回すことができる。そのため、サポーター１を装着した装着者が運動を行う際に感じる違和感を十分に低減することができる。
【００４１】
実施の形態２に係るサポーター１において、サポートベルト３と補助サポーター４とは、面ファスナーにより固定される。これにより、サポートベルト３と補助サポーター４とは容易に着脱することができる。また、補助サポーター４において、踝および足首の周囲の広範囲にわたる外周面６が面ファスナー５を構成する一方の部材として設けられていることにより、サポートベルト３を巻き回す位置をより細かく設定し、固定することができる。これにより、サポーター１は、内反捻挫をより効果的に予防することができる。
【００４２】
実施の形態２に係るサポーター１において、サポーター１を装着者が装着したときに、ベース体２は装着者の足の土踏まずに対し爪先側に位置する部分の下に配置されるように設けられており、補助サポーター４は、装着者の足の足首を覆う位置に装着可能に設けられている。
【００４３】
このようにすれば、サポートベルト３の一方端部を接続固定するのに必要十分な部分にのみベース体２を設けるとともに、サポートベルト３の他方端部を固定するのに必要十分な部分にのみ補助サポーター４を設けることができるため、無駄なく低コストでサポーター１を構成することができる。
【００４４】
また、サポーター１を装着したときにベース体２の上には装着者の足の爪先側に位置する部分が配置されるが、当該部分は補助サポーター４により覆われていないため、ベース体２の厚みや補助サポーター４の厚みを受けて装着者が感じる違和感を低減することができる。
【００４５】
図７を参照して、実施の形態１および実施の形態２に係るサポーター１において、ベース体２は、装着者の履物のインソール１０と一体として設けられていてもよい。このようにしても、ベース体２は装着者の履物の内部において装着者の体重が加えられるとともに履物内部形状により拘束を受けることにより、ベース体２は装着者の足関節の動作に追随可能に設けられている。これにより、上述のように、一方の端部がベース体２に接続固定されているとともに他方の端部が装着者の足首に固定されるサポートベルト３が足関節の内転動作時において当該端部間に所定の張力を生じさせることができる。その結果、サポーター１は、内反捻挫を効果的に予防することができる。
【００４６】
実施の形態１および実施の形態２に係るサポーター１において、サポートベルト３を固定する固定具は面ファスナー５として構成されているがこれに限られるものではなく、たとえばバックル等であってもよい。
【００４７】
なお、図１、図２、図５および図６を参照して、サポーター１は装着者の右足に装着されるものとして構成されているが、これらと左右対称に設けることにより装着者の左足に装着されるものとして構成することも可能である。
【００４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４９】
本発明は、内反捻挫を予防するサポーターに特に有利に適用される。
【符号の説明】
【００５０】
１  サポーター、２  ベース体、３  サポートベルト、４  補助サポーター、５，７  面ファスナー、６  外周面、８  つまみ部、１０  インソール。
【図１】
2015171422.tif 000003
【図２】
2015171422.tif 000004
【図３】
2015171422.tif 000005
【図４】
2015171422.tif 000006
【図５】
2015171422.tif 000007
【図６】
2015171422.tif 000008
【図７】
2015171422.tif 000009